(57)【要約】【課題】自動的に電源の供給を切断して動作停止状態にする。【解決手段】第１の電圧を出力する電源部と、前記第１の電圧の供給を受け、電源スイッチの接続状態に応じて信号を出力する切替部と、入力信号に基づき入力された前記第１の電圧を第２の電圧へ変換して出力する変換部と、前記変換部から出力された前記第２の電圧に基づいて前記第１の電圧の供給と供給停止とを切り替える開閉部と、前記開閉部からの前記第１の電圧および前記変換部からの前記第２の電圧の供給を受けて動作する制御部と、前記制御部の出力信号に基づき前記変換部へ信号を出力する駆動部とを備えた。【選択図】        図１
2013092841.tif 000002
【特許請求の範囲】
【請求項１】
第１の電圧を出力する電源部と、
前記第１の電圧の供給を受け、電源スイッチの接続状態に応じて信号を出力する切替部と、
入力信号に基づき入力された前記第１の電圧を第２の電圧へ変換して出力する変換部と、
前記変換部から出力された前記第２の電圧に基づいて前記第１の電圧の供給と供給停止とを切り替える開閉部と、
前記開閉部からの前記第１の電圧および前記変換部からの前記第２の電圧の供給を受けて動作する制御部と、
前記制御部の出力信号に基づき前記変換部へ信号を出力する駆動部とを備えたことを特徴とする情報処理装置。
【請求項２】
請求項１に記載の情報処理装置において、
前記切替部は、前記電源スイッチの接続状態に応じて前記変換部へ信号を出力し、
前記変換部は、前記第２の電圧を前記制御部および前記開閉部へ供給し、
前記開閉部は、前記第１の電圧を前記制御部へ供給し、
前記制御部は、前記駆動部へ信号を出力し、前記駆動部から前記変換部へ信号を出力させて動作継続状態となることを特徴とする情報処理装置。
【請求項３】
請求項１または請求項２に記載の情報処理装置において、
前記開閉部から前記第１の電圧の供給を受け、前記切替部の電源スイッチの接続状態を検出する検出部を備え、
前記切替部は、前記電源スイッチの接続状態に応じて前記変換部へ信号を出力し、
前記検出部は、前記切替部の出力信号に基づいて前記電源スイッチの接続状態を表す信号を動作状態の前記制御部へ出力し、
前記制御部は、前記駆動部へ信号を出力し、前記駆動部から前記変換部へ信号を出力させ、前記変換部による前記第２の電圧の供給を停止するとともに、前記開閉部による前記第１の電圧の供給を停止し、動作を停止することを特徴とする情報処理装置。
【請求項４】
請求項１、請求項２または請求項３に記載の情報処理装置において、
時間の経過を計測する計時部を備え、
動作状態の前記制御部は、前記計時部により所定時間の経過を検知して前記駆動部へ信号を出力し、前記駆動部から前記変換部へ信号を出力させ、前記変換部による前記第２の電圧の供給を停止するとともに、前記開閉部による前記第１の電圧の供給を停止し、動作を停止することを特徴とする情報処理装置。
【請求項５】
第１の電圧を出力する電源部と、
前記第１の電圧の供給を受け、電源スイッチの接続状態に応じて信号を出力する切替部と、
入力信号に基づき入力された前記第１の電圧を第２の電圧へ変換して出力する変換部と、
前記変換部から出力された前記第２の電圧および入力信号に基づいて前記第１の電圧の供給と供給停止とを切り替える開閉部と、
前記開閉部からの前記第１の電圧および前記変換部からの前記第２の電圧の供給を受けて動作するともに、前記開閉部へ信号を出力する制御部と、
前記開閉部から前記第１の電圧の供給を受け、前記変換部へ信号を出力する駆動部とを備えたことを特徴とする情報処理装置。
【請求項６】
請求項５に記載の情報処理装置において、
前記切替部は、前記電源スイッチの接続状態に応じて前記変換部へ信号を出力し、
前記変換部は、前記第２の電圧を前記制御部および前記開閉部へ供給し、
前記開閉部は、前記第１の電圧を前記制御部および前記駆動部へ供給し、
前記駆動部は、前記開閉部から前記第１の電圧の供給を受け、前記変換部へ信号を出力し、
前記制御部は、動作継続状態となることを特徴とする情報処理装置。
【請求項７】
請求項５または請求項６に記載の情報処理装置において、
前記開閉部から前記第１の電圧の供給を受け、前記切替部の電源スイッチの接続状態を検出する検出部を備え、
前記切替部は、前記電源スイッチの接続状態に応じて前記変換部へ信号を出力し、
前記検出部は、前記切替部の出力信号に基づいて前記電源スイッチの接続状態を表す信号を動作状態の前記制御部へ出力し、
前記制御部は、前記開閉部へ信号を出力し、前記開閉部による前記第１の電圧の供給を停止するとともに、前記第１の電圧の供給が停止された前記駆動部から前記変換部へ信号を出力させ、前記変換部による前記第２の電圧の供給を停止し、動作を停止することを特徴とする情報処理装置。
【請求項８】
請求項５、請求項６または請求項７に記載の情報処理装置において、
時間の経過を計測する計時部を備え、
動作状態の前記制御部は、前記計時部により所定時間の経過を検知して前記開閉部へ信号を出力し、前記開閉部による前記第１の電圧の供給を停止するとともに、前記第１の電圧の供給が停止された前記駆動部から前記変換部へ信号を出力させ、前記変換部による前記第２の電圧の供給を停止し、動作を停止することを特徴とする情報処理装置。
【請求項９】
請求項１から請求項８のいずれか１項に記載の情報処理装置において、
前記電源スイッチは、非保持型であることを特徴とする情報処理装置。
【請求項１０】
第１の電圧を出力する電源部と、
前記第１の電圧の供給を受け、電源スイッチの接続状態に応じて信号を出力する切替部と、
入力信号に基づき入力された前記第１の電圧を第２の電圧へ変換して出力する変換部と、
前記変換部から出力された前記第２の電圧に基づいて前記第１の電圧の供給と供給停止とを切り替える開閉部と、
前記開閉部からの前記第１の電圧および前記変換部からの前記第２の電圧の供給を受けて動作する制御部と、
前記制御部の出力信号に基づき前記変換部へ信号を出力する駆動部とを備えたことを特徴とする画像形成装置。
【請求項１１】
第１の電圧を出力する電源部と、
前記第１の電圧の供給を受け、電源スイッチの接続状態に応じて信号を出力する切替部と、
入力信号に基づき入力された前記第１の電圧を第２の電圧へ変換して出力する変換部と、
前記変換部から出力された前記第２の電圧および入力信号に基づいて前記第１の電圧の供給と供給停止とを切り替える開閉部と、
前記開閉部からの前記第１の電圧および前記変換部からの前記第２の電圧の供給を受けて動作するともに、前記開閉部へ信号を出力する制御部と、
前記開閉部から前記第１の電圧の供給を受け、前記変換部へ信号を出力する駆動部とを備えたことを特徴とする画像形成装置。
【発明の詳細な説明】
【技術分野】
【０００１】
本発明は、自動電源切断を行う情報処理装置および画像形成装置に関する。
【背景技術】
【０００２】
従来の情報処理装置では、商用電源からの交流電圧を直流電圧に変換し、５Ｖおよび２４Ｖの直流電圧を生成する電源を備えた情報処理装置としての画像形成装置があり、この画像形成装置はシーソータイプの電源スイッチを備え、ユーザが手動で電源スイッチを切り替えることにより、画像形成装置に電源を供給して動作状態にしたり、電源の供給を切断して動作停止状態にしたりするようにしていた（例えば、特許文献１参照）。
【先行技術文献】
【特許文献】
【０００３】
【特許文献１】特開２０１１−０６４８１７号公報（段落「００１８」〜段落「００２１」、図１）
【発明の概要】
【発明が解決しようとする課題】
【０００４】
しかしながら、上述した従来の技術においては、ユーザが手動で電源スイッチを操作しなければ、電源の供給を切断して動作停止状態にすることができず、画像形成装置自身で自動的に電源の供給を切断して動作停止状態にすることができないという問題がある。
【０００５】
本発明は、このような問題を解決することを課題とし、自動的に電源の供給を切断して動作停止状態にすることを目的とする。
【課題を解決するための手段】
【０００６】
そのため、本発明は、第１の電圧を出力する電源部と、前記第１の電圧の供給を受け、電源スイッチの接続状態に応じて信号を出力する切替部と、入力信号に基づき入力された前記第１の電圧を第２の電圧へ変換して出力する変換部と、前記変換部から出力された前記第２の電圧に基づいて前記第１の電圧の供給と供給停止とを切り替える開閉部と、前記開閉部からの前記第１の電圧および前記変換部からの前記第２の電圧の供給を受けて動作する制御部と、前記制御部の出力信号に基づき前記変換部へ信号を出力する駆動部とを備えたことを特徴とする。
【発明の効果】
【０００７】
このようにした本発明は、自動的に電源の供給を切断して動作停止状態にすることができるという効果が得られる。
【図面の簡単な説明】
【０００８】
【図１】第１の実施例における電子写真プリンタの制御回路の構成を示す説明図
【図２】第１の実施例における電子写真プリンタの概略断面図
【図３】第１の実施例における電子写真プロセスの説明図
【図４】第１の実施例における電源の構成を示す説明図
【図５】第１の実施例における制御回路の動作を示すタイミングチャート（第１の動作）
【図６】第１の実施例における制御回路の動作を示すタイミングチャート（第２の動作）
【図７】第１の実施例における制御回路の動作を示すタイミングチャート（第３の動作）
【図８】第２の実施例における電子写真プリンタの制御回路の構成を示す説明図
【図９】第２の実施例における制御回路の動作を示すタイミングチャート（動作１）
【図１０】第２の実施例における制御回路の動作を示すタイミングチャート（動作２）
【図１１】第２の実施例における制御回路の動作を示すタイミングチャート（動作３）
【発明を実施するための形態】
【０００９】
以下、図面を参照して本発明による情報処理装置および画像形成装置の実施例を説明する。
【実施例１】
【００１０】
図２は第１の実施例における電子写真プリンタの概略断面図である。
【００１１】
図２において、１００は情報処理装置としての画像形成装置である電子写真プリンタである。
【００１２】
電子写真プリンタ１００は、媒体３８を格納する給紙カセット１、給紙カセット１から媒体３８を搬送する給紙ローラ２、給紙ローラ２から搬送された媒体３８を搬送する搬送ローラ１４およびレジストローラ３、トナー像を形成する感光体ドラム４、感光体ドラム４に形成されたトナー像を搬送された媒体３８に転写する転写ローラ５、媒体３８に転写されたトナー像を熱と圧力により定着させる定着装置６、トナー像が転写された媒体３８を搬送するヒートローラ７、ヒートローラ７を加熱するヒータ８、ヒートローラ７に押圧されて接触する加圧ローラ９、ヒートローラ７の温度を検知するサーミスタ１０、媒体３８のおもて面と裏面とを反転する反転装置１１、反転ローラ１２、媒体３８を積層するスタッカ１７、および媒体３８の位置を検出する媒体センサ１９から構成されている。
【００１３】
図３は、第１の実施例における電子写真プロセスの説明図である。
【００１４】
図３において、電子写真プロセスを行う電子写真プリンタの部位は、感光体ドラム４、帯電ローラ３１、ＬＥＤ（Ｌｉｇｈｔ  Ｅｍｉｔｔｉｎｇ  Ｄｉｏｄｅ）ヘッド３２、現像ローラ３３、トナー供給ローラ３４、転写ローラ５、ヒートローラ７、加圧ローラ９、および現像ブレード３６により構成されている。
【００１５】
感光体ドラム４には、帯電ローラ３１、現像ローラ３３および転写ローラ５が接触し、現像ローラ３３には、トナー供給ローラ３４および現像ブレード３６が接触している。また、帯電ローラ３１、転写ローラ５、現像ローラ３３およびトナー供給ローラ３４には、高圧電源装置３５から所定の電圧が印加されている。
【００１６】
図４は第１の実施例における電源の構成を示す説明図である。
【００１７】
図４において、電子写真プリンタ１００の電源４２は、商用電源４２１とＡＣ−ＤＣ変換部４２２とにより構成され、商用電源４２１から供給される交流電圧をＡＣ−ＤＣ変換部４２２で２４Ｖおよび３．３Ｖの直流電圧に変換するものである。２４Ｖの直流電圧は図３に示す高圧電源装置３５や図示しないモータに電源供給され、そのモータが動作することにより、図２に示す給紙ローラ２や搬送ローラ１４、および感光体ドラム４等を回転させ、媒体３８を搬送することが可能になっている。一方、３．３Ｖの電圧は、後述する電子写真プリンタを制御する制御回路８０や図３に示す高圧電源装置３５に供給される。
【００１８】
図１は第１の実施例における電子写真プリンタの制御回路の構成を示す説明図である。
【００１９】
図１において、電子写真プリンタの動作を制御する制御回路８０は、第１の電圧として３．３Ｖの直流電圧を供給（出力）する電源部としての電源４２に接続されている。この制御回路８０は、電子写真プリンタ全体の動作を制御するＣＰＵ（Ｃｅｎｔｒａｌ  Ｐｒｏｃｅｓｓｉｎｇ  Ｕｎｉｔ）等で構成される制御手段としての制御部４３、制御部４３の内部に設けられ、所定時間の経過を計測するカウンタ部（計時部）としてのタイマ８１、入力信号レベルに基づいて入力された第１の電圧としての３．３Ｖの直流電圧を第２の電圧としての１．２Ｖへ降圧して出力する変換部としてのＤＣ−ＤＣコンバータ４４、ＤＣ−ＤＣコンバータ４４から出力された１．２Ｖの直流電圧に基づいて制御部４３への電源として電源４２の出力電圧３．３Ｖの供給と供給停止とを切り替える開閉部としての開閉回路４５、制御部４３の出力信号に基づいてＤＣ−ＤＣコンバータ４４へ信号を出力する駆動部としての駆動回路４６、第１の電圧として３．３Ｖの直流電圧の供給を受けて電源スイッチ５９の接続状態に応じて信号を出力し、電子写真プリンタ（制御部４３）を動作停止状態と動作状態とに切り替える切替部としての切替回路４７、開閉回路４５から第１の電圧として３．３Ｖの直流電圧の供給を受け、切替回路４７の接続状態を検出して制御部４３へ信号を出力する検出部としての切替検出回路４８、および制御部４３の出力信号に基づいて３．３Ｖの直電圧を５Ｖへ昇圧し、図２および図３に示す感光体ドラム４上へ画像データをもとに静電潜像を形成するＬＥＤヘッド３２へ電源供給する第２の変換部としてのＤＣ−ＤＣコンバータ５１により構成されている。なお、開閉回路４５から出力される電圧３．３Ｖを「３．３ＶＳ」と呼ぶこととする。
【００２０】
制御部４３は、コア電圧としての１．２ＶおよびＩ／Ｏ（Ｉｎｐｕｔ／Ｏｕｔｐｕｔ）用の駆動電圧としての３．３ＶＳの電圧供給を受けて動作状態となり、１．２Ｖおよび３．３ＶＳの電圧供給がなくなると、動作停止状態となる。
【００２１】
ＤＣ−ＤＣコンバータ５１の入力端子は、抵抗６６を介して接地されている。
【００２２】
開閉回路４５は、Ｐ型ＭＯＳＦＥＴ５３、そのＰ型ＭＯＳＦＥＴ５３のＧ（ゲート）−Ｓ（ソース）間に接続されている抵抗５４、Ｐ型ＭＯＳＦＥＴ５３のＧ（ゲート）と抵抗５４とに接続されている抵抗５５、抵抗５５と接続されているトランジスタ５６、トランジスタ５６のベース（Ｂ）と接地との間に接続されている抵抗５７、および抵抗５７とＤＣ−ＤＣコンバータ４４の出力との間に接続されている抵抗５８により構成されている。
【００２３】
切替回路４７は、抵抗４９、抵抗５０および電源スイッチ５９により構成されている。電源スイッチ５９は、接続状態または解放状態を保持するシーソータイプ（保持型）とは異なり、スイッチを押下すると接続状態になり、スイッチの押下を解除すると開放状態になる非保持型のものである。
【００２４】
切替検出回路４８は、切替回路４７の出力と制御部４３との間に接続されており、抵抗６４およびダイオード６５により構成されている。
【００２５】
駆動回路４６は、制御部４３と、ＤＣ−ＤＣコンバータ４４の入力端子と、切替回路４７とに接続されている。このＤＣ−ＤＣコンバータ４４の入力端子および切替回路４７には抵抗６０が接続されており、その抵抗６０の反対側はトランジスタ６１に接続されている。トランジスタ６１のベース（Ｂ）には抵抗６２および抵抗６３が接続され、その抵抗６３の反対側は制御部４３に接続されている。
【００２６】
上述した構成の作用について説明する。
【００２７】
まず、電子写真プリンタにおいて媒体が給紙カセットからスタッカに至るまでの動作について図２を用いて説明する。
【００２８】
媒体３８を格納した給紙カセット１から給紙ローラ２によって給紙された媒体３８は、図中矢印Ａおよび矢印Ｂが示す方向へ搬送され、レジストローラ３を経由して媒体センサ１９を通過し、感光体ドラム４へ搬送される。電子写真プロセスで感光体ドラム４上に形成されたトナー像が転写ローラ５により媒体３８に転写される。トナー像が転写された媒体３８は、図中矢印Ｃが示す方向の定着装置６へ搬送され、ヒートローラ７と加圧ローラ９との間を通過し、熱と圧力によりトナー像が定着される。
【００２９】
トナー像が定着された媒体３８は、搬送ローラ１４を経由し、片面印刷の場合は図中矢印Ｉが示す方向のスタッカ１７へ搬送される。
【００３０】
一方、両面印刷の場合、媒体３８は図中矢印Ｄが示す反転ローラ１２の方向へ搬送され、正回転している反転ローラ１２を通過し、図中矢印Ｅが示す反転スイッチバック部１３の方向へ一旦搬送される。媒体３８は、逆回転された反転ローラ１２により図中矢印Ｆが示す方向へ搬送され、図中矢印Ｇが示す反転装置１１へ搬送され、さらに図中矢印Ｈが示す方向へ搬送されて反転装置１１を経由し、再度レジストローラ３へ搬送される。
【００３１】
レジストローラ３へ搬送された媒体３８の裏面には、再び電子写真プロセスで感光体ドラム４上に形成されたトナー像が転写ローラ５により転写され、定着装置６でトナー像が定着され、トナー像が定着された媒体３８は搬送ローラ１４を経由し、図中矢印Ｉが示す方向のスタッカ１７へ搬送される。
【００３２】
次に、電子写真プリンタの電子写真プロセスについて図３を用いて説明する。
【００３３】
回転する感光体ドラム４の表面を、帯電ローラ３１により一様に帯電した後、ＬＥＤヘッド３２により露光し、感光体ドラム４に静電潜像を形成する。また、トナー供給ローラ３４により現像ローラ３３へトナー３７を移動させ、現像ブレード３６により現像ローラ３３上のトナー３７を一様にする。
【００３４】
現像ローラ３３上のトナー３７により感光体ドラム４に形成された静電潜像を現像してトナー像を形成し、転写ローラ５により感光体ドラム４上に現像されたトナー像を媒体３８に転写する。
【００３５】
トナー像が転写された媒体３８は図中矢印が示す通紙方向へ搬送され、ヒートローラ７および加圧ローラ９により媒体３８上にトナー３７が定着される。
【００３６】
この電子写真プロセスでは、高圧電源装置３５により帯電ローラ３１、現像ローラ３３、トナー供給ローラ３４および転写ローラ５に１００Ｖ以上の高圧電圧が供給される。
【００３７】
次に、電源４２の動作について図４を用いて説明する。
【００３８】
電源４２は、商用電源４２１の交流電圧をＡＣ−ＤＣ変換部４２２により、２つの直流電圧である２４Ｖおよび３．３Ｖに変換する。２４Ｖは図示しないモータに電源供給されており、モータが動作することにより、図２に示す給紙ローラ２や搬送ローラ１４、図３に示す電子写真プロセスにおける各ローラを回転させ、媒体３８を搬送することが可能になっている。
【００３９】
一方、３．３Ｖの直流電圧は、図１に示す制御回路８０に供給されている。商用電源４２１とＡＣ−ＤＣ変換部４２２との間には電源スイッチが存在しないため、２４Ｖと３．３Ｖの直流電圧は常に生成されている。
【００４０】
２４Ｖの直流電圧については、図示しない遮断回路が設けられており、電子写真プリンタが動作していない省電力状態では、その遮断回路により２４Ｖの直流電圧は遮断され、消費電力を低減させるようにしている。
【００４１】
次に、制御回路の動作について図１を用いて説明する。
【００４２】
制御回路８０の動作については、以下の３つの動作について説明する。第１の動作は、電子写真プリンタが動作停止状態において、ユーザが電源スイッチ５９を押下してから動作状態になるまでの動作例であり、第２の動作は、電子写真プリンタが動作状態において、ユーザが電源スイッチ５９を押下してから動作停止状態になるまでの動作例であり、第３の動作は、電子写真プリンタが動作状態において、ユーザが電源スイッチ５９を押下することなく動作停止状態になるまでの動作例である。
【００４３】
なお、電源４２は、電子写真プリンタが動作停止状態であっても常時３．３Ｖの直流電圧を制御回路８０へ供給している。
【００４４】
第１の動作の例として、電子写真プリンタが動作停止状態において、ユーザが電源スイッチ５９を押下してから動作状態になるまでの動作例を図５の第１の実施例における制御回路の動作を示すタイミングチャート（第１の動作）の図中横軸のＴで表すタイミングに従って図１を参照しながら説明する。なお、電源４２は、常時３．３Ｖの直流電圧を制御回路８０へ供給し、また制御部４３は、動作停止状態であるものとする。
【００４５】
Ｔ０：ユーザが電源スイッチ５９を押下するものとする。電源スイッチ５９が押下されると、電源４２から抵抗４９、抵抗５０、電源スイッチ５９を介して接地へ電流が流れる。このとき、電源４２からの出力電圧である３．３Ｖは抵抗４９および抵抗５０により分圧される。
【００４６】
Ｔ１：分圧された電圧がＤＣ−ＤＣコンバータ４４の入力端子に入力され、入力信号がハイレベルからローレベルへ切り替わる。
【００４７】
Ｔ２：ＤＣ−ＤＣコンバータ４４は、３．３Ｖを１．２Ｖへ降圧した直流電圧を出力し、制御部４３および開閉回路４５へ供給する。なお、ＤＣ−ＤＣコンバータ４４は、入力端子が、ローレベルのときに１．２Ｖを出力し、ハイレベルのときに０Ｖを出力する。
【００４８】
Ｔ３：ＤＣ−ＤＣコンバータ４４から開閉回路４５の抵抗５８を介して、抵抗５７およびトランジスタ５６へベース電流が流れる。トランジスタ５６へベース電流が流れることにより、電源４２から抵抗５４、抵抗５５、トランジスタ５６のコレクタを介してエミッタへ電流が流れる。そうすると抵抗５４に電位差が発生し、Ｐ型ＭＯＳＦＥＴ５３のソース（Ｓ）−ゲート（Ｇ）にも同様に電位差が発生する。
【００４９】
Ｔ４：Ｐ型ＭＯＳＦＥＴ５３のソース（Ｓ）からドレイン（Ｄ）へ電流が流れ、電圧３．３ＶＳが制御部４３、ＬＥＤヘッド３２および切替検出回路４８へ供給される。同時に、Ｐ型ＭＯＳＦＥＴ５３から切替検出回路４８の抵抗６４、ダイオード６５、電源スイッチ５９を介して接地へ電流が流れる。切替検出回路４８は、制御部４３へローレベルの信号を出力する。
【００５０】
Ｔ５：制御部４３は、コア電圧としての１．２ＶおよびＩ／Ｏ用の駆動電圧としての３．３ＶＳの供給を受け、動作状態となる。
【００５１】
Ｔ６：制御部４３は、駆動回路４６へハイレベルを出力する。ハイレベルが出力されると駆動回路４６の抵抗６３を介して、抵抗６２およびトランジスタ６１へ電流が流れ、トランジスタ６１へベース電流が流れることにより、電源４２から切替回路４７の抵抗４９、駆動回路４６の抵抗６０、トランジスタ６１のコレクタを介してエミッタへ電流が流れる。電源４２の出力電圧である３．３Ｖは抵抗４９および抵抗６０により分圧され、その分圧された電圧がＤＣ−ＤＣコンバータ４４の入力端子に入力される。このとき、ＤＣ−ＤＣコンバータ４４の入力端子の入力信号はローレベルのままである。
【００５２】
Ｔ７：ユーザが電源スイッチ５９の押下を解除するものとする。電源スイッチ５９の押下が解除されると、電源４２から切替回路４７の抵抗４９、抵抗５０および電源スイッチ５９を介して流れていた電流が停止し、またＰ型ＭＯＳＦＥＴ５３（３．３ＶＳ）から切替検出回路４８の抵抗６４、ダイオード６５、電源スイッチ５９を介して流れていた電流も停止する。そうすると切替検出回路４８の出力電圧は、ローレベルからハイレベルとなる。
【００５３】
一方、駆動回路４６は、動作を続行したままなので、ＤＣ−ＤＣコンバータ４４の入力端子の入力信号はローレベルのままである。このように、ＤＣ−ＤＣコンバータ４４の入力端子の入力信号をローレベルに保持することができるため、制御部４３、すなわち電子写真プリンタの動作状態を保持することができる。
【００５４】
Ｔ８：制御部４３は、ＤＣ−ＤＣコンバータ５１へハイレベルを出力するものとする。
【００５５】
Ｔ９：ハイレベルが入力されたＤＣ−ＤＣコンバータ５１は、３．３Ｖを５Ｖへ昇圧した直流電圧を出力し、ＬＥＤヘッド３２へ供給する。ＬＥＤヘッド３２は、３．３Ｖと５Ｖの電圧供給を受け、動作状態となる。なお、ＤＣ−ＤＣコンバータ５１は、ＤＣ−ＤＣコンバータ４４と異なり、入力端子が、ローレベルのときに、０Ｖを出力し、ハイレベルのときに、昇圧して５Ｖを出力する。
【００５６】
次に、第２の動作の例として、電子写真プリンタが動作状態において、ユーザが電源スイッチ５９を押下してから動作停止状態になるまでの動作例を図６の第１の実施例における制御回路の動作を示すタイミングチャート（第２の動作）の図中横軸のＴで表すタイミングに従って図１を参照しながら説明する。なお、電源４２は、常時３．３Ｖの直流電圧を制御回路８０へ供給し、また制御部４３は、動作状態であるものとする。
【００５７】
Ｔ２０：ユーザが電源スイッチ５９を押下するものとする。電源スイッチ５９が押下されると、Ｐ型ＭＯＳＦＥＴ５３（３．３ＶＳ）から切替検出回路４８の抵抗６４、ダイオード６５、電源スイッチ５９を介して接地へ電流が流れる。
【００５８】
Ｔ２１：切替検出回路４８に電流が流れたため、切替検出回路４８の出力はハイレベルからローレベルとなり、制御部４３に通知される。
【００５９】
Ｔ２２：制御部４３は、切替検出回路４８からのローレベルの出力保持時間をタイマ８１により計測し始める。
【００６０】
Ｔ２３：制御部４３のタイマ８１は、切替検出回路４８からのローレベルの出力保持時間がｔ２００に達したことを検知する。
【００６１】
Ｔ２４：タイマ８１により切替検出回路４８からのローレベルの出力保持時間がｔ２００に達したことを検知した制御部４３は、ＤＣ−ＤＣコンバータ５１へハイレベルからハイインピーダンスの信号を出力する。制御部４３の出力回路は、オープンドレインタイプとなっており、ハイインピーダンス出力し、抵抗６６によりＤＣ−ＤＣコンバータ５１の入力端子はローレベルに保持される。
【００６２】
Ｔ２５：ＤＣ−ＤＣコンバータ５１の出力は、５Ｖから０Ｖとなり、ＬＥＤヘッド３２への電圧供給を遮断する。
【００６３】
Ｔ２６：制御部４３は、駆動回路４６へハイレベルからハイインピーダンスの信号を出力する。そうすると駆動回路４６の抵抗６３を介してトランジスタ６１へ流れていたベース電流が停止し、抵抗６２によりトランジスタ６１のベース（Ｂ）−エミッタ（Ｅ）間の電圧はローレベルに保持され、電源４２から抵抗４９、抵抗６０、トランジスタ６１を介して流れていたコレクタ電流が停止する。駆動回路４６はＤＣ−ＤＣコンバータ４４の入力端子に対してハイインピーダンス出力となる。
【００６４】
Ｔ２７：ユーザが電源スイッチ５９の押下を解除するものとする。
電源スイッチ５９の押下が解除されると、電源４２から切替回路４７の抵抗４９、抵抗５０および電源スイッチ５９を介して流れていた電流が停止し、また同時にＰ型ＭＯＳＦＥＴ５３（３．３ＶＳ）から切替検出回路４８の抵抗６４、ダイオード６５、電源スイッチ５９を介して流れていた電流も停止する。そうすると電源４２の出力電圧である３．３Ｖは切替回路４７の抵抗４９および抵抗５０により分圧される。
【００６５】
Ｔ２８：電源４２の出力電圧である３．３Ｖが切替回路４７の抵抗４９および抵抗５０により分圧され、ＤＣ−ＤＣコンバータ４４の入力端子に入力されていた入力信号がローレベルからハイレベルに切り替わる。切替検出回路４８に流れていた電流が停止したため、切替検出回路４８の出力はローレベルからハイレベルとなる。
【００６６】
Ｔ２９：ＤＣ−ＤＣコンバータ４４は、１．２Ｖから０Ｖを出力し、制御部４３および開閉回路４５への電圧供給を停止する。
【００６７】
Ｔ３０：開閉回路４５への電圧供給を停止すると、開閉回路４５の抵抗５８を介してトランジスタ５６へ流れていたベース電流が停止する。そうすると電源４２（３．３Ｖ）から抵抗５４、抵抗５５、トランジスタ５６を介して流れていたコレクタ電流が停止し、抵抗５４の両端が同電位となる。同様に、Ｐ型ＭＯＳＦＥＴ５３のソース（Ｓ）−ゲート（Ｇ）間も同電位となる。制御部４３は、コア電圧である１．２Ｖが０Ｖとなったため、動作不定状態となる。
【００６８】
Ｔ３１：Ｐ型ＭＯＳＦＥＴ５３のソース（Ｓ）からドレイン（Ｄ）へ流れていた電流が停止し、制御部４３、ＬＥＤヘッド３２および切替検出回路４８への供給電圧は０Ｖとなる。そうすると切替検出回路４８の出力電圧がハイレベルからローレベルとなり、また制御部４３は１．２Ｖおよび３．３ＶＳの電圧供給がなくなったため、完全に動作停止状態となり、電子写真プリンタも同様に動作停止状態となる。
【００６９】
次に、第３の動作の例として、電子写真プリンタが動作状態において、ユーザが電源スイッチ５９を押下することなく、自動的に動作停止状態になるまでの動作例を図７の第１の実施例における制御回路の動作を示すタイミングチャート（第３の動作）の図中横軸のＴで表すタイミングに従って図１を参照しながら説明する。
【００７０】
なお、電源４２は、常時３．３Ｖの直流電圧を制御回路８０へ供給し、また制御部４３は、動作状態であるものとする。
【００７１】
また、図２に示す電子写真プリンタ１００は、媒体３８をスタッカ１７へ排出し、印刷動作が完了した後、次の印刷指示を待機する待機状態へ移行する。この待機状態が所定時間経過すると、待機状態より電子写真プリンタ１００の消費電力が少ない省電力状態へ移行する。
【００７２】
Ｔ４０：電子写真プリンタが待機状態から省電力状態に移行すると、制御部４３はタイマ８１を用いて省電力状態の経過時間の計測を開始する。
【００７３】
Ｔ４１：制御部４３は、タイマ８１により、省電力状態の経過時間が所定の時間ｔ２０１（本実施例では、例えば１０分間）に達したことを検知する。
【００７４】
Ｔ４２：制御部４３は、ＤＣ−ＤＣコンバータ５１へハイレベルからハイインピーダンスの信号を出力する。制御部４３の出力回路は、オープンドレインタイプとなっており、ハイインピーダンス出力し、抵抗６６によりＤＣ−ＤＣコンバータ５１の入力端子はローレベルに保持される。
【００７５】
Ｔ４３：ＤＣ−ＤＣコンバータ５１の出力は、５Ｖから０Ｖとなり、ＬＥＤヘッド３２への電圧供給を遮断する。
【００７６】
Ｔ４４：制御部４３は、駆動回路４６へハイレベルからハイインピーダンスの信号を出力する。そうすると駆動回路４６の抵抗６３を介してトランジスタ６１へ流れていたベース電流が停止し、抵抗６２によりトランジスタ６１のベース（Ｂ）−エミッタ（Ｅ）間の電圧はローレベルに保持され、電源４２から抵抗４９、抵抗６０、トランジスタ６１を介して流れていたコレクタ電流が停止する。駆動回路４６はＤＣ−ＤＣコンバータ４４の入力端子に対してハイインピーダンス出力となる。
【００７７】
Ｔ４５：ＤＣ−ＤＣコンバータ４４の入力端子に入力されていた入力信号がローレベルからハイレベルに切り替わる。
【００７８】
Ｔ４６：ＤＣ−ＤＣコンバータ４４は、１．２Ｖから０Ｖを出力し、制御部４３および開閉回路４５への電圧供給を停止する。
【００７９】
Ｔ４７：開閉回路４５への電圧供給を停止すると、開閉回路４５の抵抗５８を介してトランジスタ５６へ流れていたベース電流が停止する。そうすると電源４２（３．３Ｖ）から抵抗５４、抵抗５５、トランジスタ５６を介して流れていたコレクタ電流が停止し、抵抗５４の両端が同電位となる。同様に、Ｐ型ＭＯＳＦＥＴ５３のソース（Ｓ）−ゲート（Ｇ）間も同電位となる。制御部４３は、コア電圧である１．２Ｖが０Ｖとなったため、動作不定状態となる。
【００８０】
Ｔ４８：Ｐ型ＭＯＳＦＥＴ５３のソース（Ｓ）からドレイン（Ｄ）へ流れていた電流が停止し、制御部４３、ＬＥＤヘッド３２および切替検出回路４８への供給電圧は０Ｖとなる。そうすると切替検出回路４８の出力電圧がハイレベルからローレベルとなり、また制御部４３は１．２Ｖおよび３．３ＶＳの電圧供給がなくなったため、完全に動作停止状態となり、電子写真プリンタも同様に動作停止状態となる。
【００８１】
このように、電子写真プリンタの動作を制御する制御回路８０を、第１の電圧として３．３Ｖの直流電圧を供給する電源部としての電源４２に接続し、電子写真プリンタ全体の動作を制御する制御部４３、制御部４３の内部に設けられ、所定時間の経過を計測するタイマ８１、入力信号レベルに基づいて３．３Ｖの直流電圧を第２の電圧としての１．２Ｖへ降圧するＤＣ−ＤＣコンバータ４４、電源４２の出力電圧３．３Ｖを制御部４３へ電源供給する開閉回路４５、制御部４３の出力信号に基づいてＤＣ−ＤＣコンバータ４４へ信号を出力する駆動回路４６、電子写真プリンタを動作停止状態と動作状態とに切り替える切替回路４７、切替回路４７の接続状態を検出して制御部４３へ信号を出力する切替検出回路４８、および制御部４３の出力信号に基づいて３．３Ｖの直電圧を５Ｖへ昇圧し、電源供給するＤＣ−ＤＣコンバータ５１により構成したことにより、ユーザの電源スイッチ押下による電源投入および電源切断ならびに自動電源切断の３つの動作が可能になり、情報処理装置としての画像形成装置である電子写真プリンタが所定時間印刷動作を行わない場合、装置自身で自動的に電源の供給を切断して動作停止状態にすることができる。
【００８２】
従来、ユーザの操作を介さずに自動的に電子写真プリンタを動作停止状態にするためには、電磁開閉器と呼ばれる電磁コイルを内蔵した電源スイッチを用いるようにしていたが、この電源スイッチは通常使用されるシーソータイプのものに比べ、大型であり高価であった。
【００８３】
本実施例では、交流入力電圧側に設けて使用される前記電磁開閉器や手動で使用されるシーソータイプの電源スイッチではなく、直流電圧側に小型で安価なプッシュタイプ（非保持型）の図１に示す電源スイッチ５９を採用した。
【００８４】
また、電子写真プリンタに一般的に使用されているＤＣ−ＤＣコンバータの入力端子を利用し、新たにＤＣ−ＤＣコンバータを追加することなく、安価な構成で電圧供給の自動停止を行うようにした。
【００８５】
さらに、電子写真プリンタの動作停止状態では、図１に示す電源４２は常時動作しているが、電源４２以外の制御回路８０が動作していないため、電子写真プリンタの消費電力を０．２Ｗ以下にすることが可能になる。
【００８６】
近年の電子写真プリンタでは省電力化が進み、電子写真プリンタが印刷動作を行わない待機状態で所定の時間が経過すると省電力状態へ移行するのが一般的となっており、省電力状態における消費電力も１Ｗ以下が実現できている。しかしながら、省電力状態よりも図１に示す制御回路８０の動作を停止させる動作停止状態（オフ状態）の方が消費電力をさらに低減できるため、自動的に動作停止状態へ移行することが望まれている。
【００８７】
電子写真プリンタが印刷を行わない待機状態および省電力状態の場合、ＬＥＤヘッドは動作させる必要がない。したがって、本実施例では、ＤＣ−ＤＣコンバータを利用してＬＥＤヘッドへの電源供給を遮断することにより、待機状態および省電力状態での消費電力を削減することができた。
【００８８】
従来では、図１に示す電源４２で電圧５Ｖを生成し、ＤＣ−ＤＣコンバータ５１で電圧３．３Ｖを生成するのが一般的であった。しかしながら、この方法では、待機状態および省電力状態では３．３Ｖの電圧は常時必要であるため、電圧５Ｖから電圧３．３Ｖを生成する際に発生するＤＣ−ＤＣコンバータ５１の損失が常時発生し、省電力状態の消費電力を十分に低減することができなかった。
【００８９】
なお、図６に示す第２の動作例において、ユーザが電源スイッチ５９を押下する時間としてのタイマ８１により計測する所定の時間ｔ２００は、誤って押下した場合に電子写真プリンタが動作停止状態へ移行してしまうことを防止するため、１秒以上に設定することが望ましい。
【００９０】
以上説明したように、第１の実施例では、情報処理装置としての画像形成装置自身で自動的に電源の供給を切断して動作停止状態とすることにより、無駄な電力消費を削減することができるという効果が得られる。
【００９１】
また、動作停止状態では、電源以外の制御回路が動作していないため、情報処理装置としての画像形成装置の動作停止状態での消費電力を大幅に低減させることができるという効果が得られる。
【実施例２】
【００９２】
第２の実施例の構成は、制御回路の構成が第１の実施例の構成と異なっている。その第２の実施例の構成を図８の第２の実施例における電子写真プリンタの制御回路の構成を示す説明図に基づいて説明する。なお、図２、図３および図４に示す上述した第１の実施例と同様の部分は、同一の符号を付してその説明を省略する。
【００９３】
図８において、電子写真プリンタの動作を制御する制御回路８０は、第１の電圧として３．３Ｖの直流電圧を供給（出力）する電源部としての電源４２に接続されている。この制御回路８０は、電子写真プリンタ全体の動作を制御するＣＰＵ等で構成される制御手段としての制御部４３、制御部４３の内部に設けられ、所定時間の経過を計測するカウンタ部（計時部）としてのタイマ８１、入力信号レベルに基づいて入力された第１の電圧としての３．３Ｖの直流電圧を第２の電圧としての１．２Ｖへ降圧して出力する変換部としてのＤＣ−ＤＣコンバータ４４、ＤＣ−ＤＣコンバータ４４から出力された１．２Ｖの直流電圧および制御部４３からの入力信号に基づいて制御部４３へ電源として電源４２の出力電圧３．３Ｖの供給と供給停止とを切り替える開閉部としての開閉回路４５、開閉回路４５から第１の電圧として３．３Ｖの直流電圧の供給を受けてＤＣ−ＤＣコンバータ４４へ信号を出力する駆動部としての駆動回路４６、第１の電圧として３．３Ｖの直流電圧の供給を受けて電源スイッチ５９の接続状態に応じて信号を出力し、電子写真プリンタ（制御部４３）を動作停止状態と動作状態とに切り替える切替部としての切替回路４７、開閉回路４５から第１の電圧として３．３Ｖの直流電圧の供給を受け、切替回路４７の接続状態を検出して制御部４３へ信号を出力する検出部としての切替検出回路４８、および制御部４３の出力信号に基づいて３．３Ｖの直電圧を５Ｖへ昇圧し、図２および図３に示す感光体ドラム４上へ画像データをもとに静電潜像を形成するＬＥＤヘッド３２へ電源供給する第２の変換部としてのＤＣ−ＤＣコンバータ５１により構成されている。
【００９４】
制御部４３は、コア電圧としての１．２ＶおよびＩ／Ｏ用の駆動電圧としての３．３ＶＳの電圧供給を受けて動作状態となり、１．２Ｖおよび３．３ＶＳの電圧供給がなくなると、動作停止状態となる。
【００９５】
ＤＣ−ＤＣコンバータ５１の入力端子は、抵抗６６を介して接地されている。
【００９６】
開閉回路４５は、Ｐ型ＭＯＳＦＥＴ５３、そのＰ型ＭＯＳＦＥＴ５３のＧ（ゲート）−Ｓ（ソース）間に接続されている抵抗５４、Ｐ型ＭＯＳＦＥＴ５３のＧ（ゲート）と抵抗５４とに接続されている抵抗５５、抵抗５５と接続されているトランジスタ５６、トランジスタ５６のベース（Ｂ）と接地との間に接続されている抵抗５７、抵抗５７とＤＣ−ＤＣコンバータ４４の出力との間に接続されている抵抗５８、抵抗５８とＤＣ−ＤＣコンバータ４４に接続されている抵抗７３、抵抗７３と接地との間に接続されているトランジスタ７４、トランジスタ７４のベース（Ｂ）と接地との間に接続されている抵抗７５、および抵抗７５と制御部４３との間に接続されている抵抗７６により構成されている。
【００９７】
切替回路４７は、電源４２と接続されているＰ型ＭＯＳＦＥＴ７０、そのＰ型ＭＯＳＦＥＴ７０のＧ（ゲート）−Ｓ（ソース）間に接続されている抵抗７１、Ｐ型ＭＯＳＦＥＴ５３のＧ（ゲート）と抵抗７１とに接続されている抵抗７２、抵抗７２と切替検出回路４８とに接続されている電源スイッチ５９、およびＰ型ＭＯＳＦＥＴ７０のＤ（ドレイン）と接地との間に接続されている抵抗６９により構成されている。電源スイッチ５９は、接続状態または解放状態を保持するシーソータイプとは異なり、スイッチを押下すると接続状態になり、スイッチの押下を解除すると開放状態になるものである。
【００９８】
切替検出回路４８は、切替回路４７の出力と制御部４３との間に接続されており、抵抗６４およびダイオード６５により構成されている。
【００９９】
駆動回路４６は、ＤＣ−ＤＣコンバータ４４の入力端子に接続されており、抵抗６７およびダイオード６８により構成されている。
【０１００】
上述した構成の作用について説明する。
【０１０１】
なお、電子写真プリンタ、電子写真プロセス、および電源の動作は第１の実施例と同様なので、その説明を省略する。
【０１０２】
第１の実施例と異なる制御回路の動作について図８を用いて説明する。
【０１０３】
制御回路８０の動作については、第１の実施例と同様に、以下の３つの動作について説明する。第１の動作は、電子写真プリンタが動作停止状態において、ユーザが電源スイッチ５９を押下してから動作状態になるまでの動作例であり、第２の動作は、電子写真プリンタが動作状態において、ユーザが電源スイッチ５９を押下してから動作停止状態になるまでの動作例であり、第３の動作は、電子写真プリンタが動作状態において、ユーザが電源スイッチ５９を押下することなく動作停止状態になるまでの動作例である。
【０１０４】
なお、電源４２は、電子写真プリンタが動作停止状態であっても常時３．３Ｖの直流電圧を制御回路８０へ供給している。
【０１０５】
第１の動作の例として、電子写真プリンタが動作停止状態において、ユーザが電源スイッチ５９を押下してから動作状態になるまでの動作例を図９の第２の実施例における制御回路の動作を示すタイミングチャート（第１の動作）の図中横軸のＴで表すタイミングに従って図８を参照しながら説明する。なお、電源４２は、常時３．３Ｖの直流電圧を制御回路８０へ供給し、また制御部４３は、動作停止状態であるものとする。
【０１０６】
Ｔ６０：ユーザが電源スイッチ５９を押下するものとする。電源スイッチ５９が押下されると、電源４２から抵抗７１、抵抗７２、電源スイッチ５９を介して接地へ電流が流れる。（このとき、電源４２からの出力電圧である３．３Ｖは抵抗４９および抵抗５０により分圧される。）
Ｔ６１：抵抗７１に電位差が発生し、Ｐ型ＭＯＳＦＥＴ７０のソース（Ｓ）−ゲート（Ｇ）間にも同様に電位差が発生する。
【０１０７】
Ｔ６２：Ｐ型ＭＯＳＦＥＴ７０のソース（Ｓ）からドレイン（Ｄ）へ電流が流れ、ドレイン（Ｄ）の電圧が３．３Ｖとなり、抵抗６９へ電流が流れる。ＤＣ−ＤＣコンバータ４４の入力端子に３．３Ｖの電圧が印加され、入力端子の入力信号がローレベルからハイレベルへ切り替わる。
【０１０８】
Ｔ６３：ＤＣ−ＤＣコンバータ４４は、３．３Ｖを１．２Ｖへ降圧した直流電圧を出力し、制御部４３および開閉回路４５へ供給する。なお、第１の実施例と異なり、ＤＣ−ＤＣコンバータ４４は、入力端子が、ハイレベルのときに１．２Ｖを出力し、ローレベルのときに０Ｖを出力する。
【０１０９】
Ｔ６４：ＤＣ−ＤＣコンバータ４４から開閉回路４５の抵抗５８を介して、抵抗５７およびトランジスタ５６へベース電流が流れる。トランジスタ５６へベース電流が流れることにより、電源４２から抵抗５４、抵抗５５、トランジスタ５６のコレクタを介してエミッタへ電流が流れる。そうすると抵抗５４に電位差が発生し、Ｐ型ＭＯＳＦＥＴ５３のソース（Ｓ）−ゲート（Ｇ）にも同様に電位差が発生する。
【０１１０】
Ｔ６５：Ｐ型ＭＯＳＦＥＴ５３のソース（Ｓ）からドレイン（Ｄ）へ電流が流れ、電圧３．３ＶＳが制御部４３、ＬＥＤヘッド３２、切替検出回路４８および駆動回路４６へ供給される。
【０１１１】
Ｔ６６：Ｐ型ＭＯＳＦＥＴ５３から駆動回路４６の抵抗６７、ダイオード６８、切替回路４７の抵抗６９を介して接地へ電流が流れる。そうすると３．３ＶＳを抵抗６７、ダイオード６８、抵抗６９により分圧されたハイレベル電圧がＤＣ−ＤＣコンバータ４４へ入力される。同時に、Ｐ型ＭＯＳＦＥＴ５３から切替検出回路４８の抵抗６４、ダイオード６５、電源スイッチ５９を介して接地へ電流が流れる。切替検出回路４８は、制御部４３へローレベルの信号を出力する。
【０１１２】
Ｔ６７：制御部４３は、コア電圧としての１．２ＶおよびＩ／Ｏ（Ｉｎｐｕｔ／Ｏｕｔｐｕｔ）用の駆動電圧としての３．３ＶＳの供給を受け、動作状態となる。
【０１１３】
Ｔ６８：ユーザが電源スイッチ５９の押下を解除するものとする。
【０１１４】
Ｔ６９：電源スイッチ５９の押下が解除されると、電源４２から切替回路４７の抵抗７１、抵抗７２および電源スイッチ５９を介して流れていた電流が停止し、抵抗７１の両端が同電位となる。また、Ｐ型ＭＯＳＦＥＴ７０のソース（Ｓ）−ゲート（Ｇ）間も同電位となり、Ｐ型ＭＯＳＦＥＴ７０のソース（Ｓ）−ゲート（Ｇ）間は遮断され、ハイインピーダンス出力となる。
【０１１５】
一方、駆動回路４６から切替回路４７の抵抗６９へ電流が流れたままとなり、駆動回路４６は、動作を続行したままなので、ＤＣ−ＤＣコンバータ４４の入力端子の入力信号はハイレベルのままである。このように、ＤＣ−ＤＣコンバータ４４の入力端子の入力信号をハイレベルに保持することができるため、制御部４３、すなわち電子写真プリンタの動作状態を保持することができる。
【０１１６】
また、３．３ＶＳから切替検出回路４８の抵抗６４、ダイオード６５、電源スイッチ５９を介して流れていた電流も停止する。したがって、切替検出回路４８の出力電圧は、ローレベルからハイレベルとなる。
【０１１７】
Ｔ７０：制御部４３は、ＤＣ−ＤＣコンバータ５１へハイレベルを出力するものとする。
【０１１８】
Ｔ７１：ハイレベルが入力されたＤＣ−ＤＣコンバータ５１は、３．３Ｖを５Ｖへ昇圧した直流電圧を出力し、ＬＥＤヘッド３２へ供給する。ＬＥＤヘッド３２は、３．３Ｖと５Ｖの電圧供給を受け、動作状態となる。なお、ＤＣ−ＤＣコンバータ５１は、ＤＣ−ＤＣコンバータ４４と異なり、入力端子が、ローレベルのときに、０Ｖを出力し、ハイレベルのときに、昇圧して５Ｖを出力する。
【０１１９】
次に、第２の動作の例として、電子写真プリンタが動作状態において、ユーザが電源スイッチ５９を押下してから動作停止状態になるまでの動作例を図１０の第２の実施例における制御回路の動作を示すタイミングチャート（第２の動作）の図中横軸のＴで表すタイミングに従って図８を参照しながら説明する。なお、電源４２は、常時３．３Ｖの直流電圧を制御回路８０へ供給し、また制御部４３は、動作状態であるものとする。
【０１２０】
Ｔ８０：ユーザが電源スイッチ５９を押下するものとする。電源スイッチ５９が押下されると、Ｐ型ＭＯＳＦＥＴ５３（３．３ＶＳ）から切替検出回路４８の抵抗６４、ダイオード６５、電源スイッチ５９を介して接地へ電流が流れる。
【０１２１】
Ｔ８１：切替検出回路４８に電流が流れたため、切替検出回路４８の出力はハイレベルからローレベルとなり、制御部４３に通知される。
【０１２２】
Ｔ８２：制御部４３は、切替検出回路４８からのローレベルの出力保持時間をタイマ８１により計測し始める。
【０１２３】
Ｔ８３：制御部４３は、タイマ８１により、切替検出回路４８からのローレベルの出力保持時間がｔ２０２に達したことを検知し、ユーザによる電源スイッチ５９の押下が解除されるまで待機する。
【０１２４】
Ｔ８４：ユーザは電源スイッチ５９の押下を解除するものとする。
【０１２５】
Ｔ８５：電源スイッチ５９の押下が解除されると、３．３ＶＳから切替検出回路４８の抵抗６４、ダイオード６５、切替回路４７の電源スイッチ５９を介して流れていた電流が停止し、切替検出回路４８の出力はローレベルからハイレベルへ切り替わる。
【０１２６】
また、電源４２から切替回路４７の抵抗７１、抵抗７２および電源スイッチ５９を介して流れていた電流が停止し、抵抗７１の両端が同電位となり、同様にＰ型ＭＯＳＦＥＴ７０のソース（Ｓ）−ゲート（Ｇ）間も同電位となる。Ｐ型ＭＯＳＦＥＴ５３のソース（Ｓ）−ドレイン（Ｄ）へ流れていた電流が停止する。
【０１２７】
駆動回路４６から抵抗６９へ電流が流れたままなので、ＤＣ−ＤＣコンバータ４４の入力端子はハイレベルのままである。
【０１２８】
Ｔ８６：制御部４３は、ＤＣ−ＤＣコンバータ５１へハイレベルからハイインピーダンスの信号を出力する。制御部４３の出力回路は、オープンドレインタイプとなっており、ハイインピーダンス出力し、抵抗６６によりＤＣ−ＤＣコンバータ５１の入力端子はローレベルに保持される。
【０１２９】
Ｔ８７：ＤＣ−ＤＣコンバータ５１の出力は、５Ｖから０Ｖとなり、ＬＥＤヘッド３２への電圧供給を遮断する。
【０１３０】
Ｔ８８：制御部４３は、開閉回路４５へハイインピーダンスからハイレベルを出力する。制御部４３の出力はハイインピーダンスなので抵抗７５によりローレベルに保持されている。
【０１３１】
Ｔ８９：開閉回路４５へハイインピーダンスからハイレベルを出力すると、開閉回路４５の抵抗７６を介してトランジスタ７４へベース電流が流れる。そうするとＤＣ−ＤＣコンバータ４４の１．２Ｖから抵抗７３、トランジスタ７４のコレクタを介してエミッタへ電流が流れ、ＤＣ−ＤＣコンバータ４４の１．２Ｖから抵抗５８を介してトランジスタ５６へ流れていたベース電流が停止する。
【０１３２】
トランジスタ５６へ流れていたベース電流が停止すると、電源４２から抵抗５４、抵抗５５、トランジスタ５６のコレクタを介してエミッタへ流れていた電流が停止し、抵抗５４の両端が同電位となり、同様にＰ型ＭＯＳＦＥＴ５３のソース（Ｓ）−ゲート（Ｇ）間も同電位となる。
【０１３３】
Ｔ９０：Ｐ型ＭＯＳＦＥＴ５３のソース（Ｓ）からドレイン（Ｄ）へ流れていた電流が停止し、制御部４３、ＬＥＤヘッド３２、駆動回路４６および切替検出回路４８への供給電圧３．３ＶＳは０Ｖとなる。
【０１３４】
Ｔ９１：３．３ＶＳから駆動回路４６の抵抗６７、ダイオード６８を介して抵抗６９へ流れていた電流が停止する。
【０１３５】
Ｔ９２：ＤＣ−ＤＣコンバータ４４の入力端子は抵抗６９によりローレベルとなる。
【０１３６】
Ｔ９３：ＤＣ−ＤＣコンバータ４４は、１．２Ｖから０Ｖを出力し、制御部４３および開閉回路４５への電圧供給を停止する。
【０１３７】
Ｔ９４：制御部４３は、コア電圧である１．２Ｖが０Ｖとなったため、完全に動作停止状態となり、電子写真プリンタも同様に動作停止状態となる。また、制御部４３から開閉回路４５へ出力していた信号もハイレベルからローレベルとなる。
【０１３８】
次に、第３の動作の例として、電子写真プリンタが動作状態において、ユーザが電源スイッチ５９を押下することなく、自動的に動作停止状態になるまでの動作例を図１１の第２の実施例における制御回路の動作を示すタイミングチャート（第３の動作）の図中横軸のＴで表すタイミングに従って図８を参照しながら説明する。
【０１３９】
なお、電源４２は、常時３．３Ｖの直流電圧を制御回路８０へ供給し、また制御部４３は、動作状態であるものとする。
【０１４０】
また、図２に示す電子写真プリンタ１００は、媒体３８をスタッカ１７へ排出し、印刷動作が完了した後、待機状態へ移行する。この待機状態が所定時間経過すると、待機状態より電子写真プリンタ１００の消費電力が少ない省電力状態へ移行する。
【０１４１】
Ｔ１００：電子写真プリンタが待機状態から省電力状態に移行すると、制御部４３はタイマ８１を用いて省電力状態の経過時間の計測を開始する。
【０１４２】
Ｔ１０１：制御部４３は、タイマ８１により、省電力状態の経過時間が所定の時間ｔ２０３（本実施例では、例えば１０分間）に達したことを検知する。
【０１４３】
Ｔ１０２：制御部４３は、ＤＣ−ＤＣコンバータ５１へハイレベルからハイインピーダンスの信号を出力する。制御部４３の出力回路は、オープンドレインタイプとなっており、ハイインピーダンス出力し、抵抗６６によりＤＣ−ＤＣコンバータ５１の入力端子はローレベルに保持される。
【０１４４】
Ｔ１０３：ＤＣ−ＤＣコンバータ５１の出力は、５Ｖから０Ｖとなり、ＬＥＤヘッド３２への電圧供給を遮断する。
【０１４５】
Ｔ１０４：制御部４３は、開閉回路４５へハイレベルからハイインピーダンスの信号を出力する。制御部４３の出力はハイインピーダンスなので抵抗７５によりローレベルに保持される。
【０１４６】
Ｔ１０５：開閉回路４５の抵抗７６を介してトランジスタ７４へベース電流が流れる。ＤＣ−ＤＣコンバータ４４の１．２Ｖから抵抗５８を介してトランジスタ５６へ流れていたベース電流が停止し、電源４２から抵抗５４、抵抗５５、トランジスタ５６のコレクタを介してエミッタへ流れていた電流が停止する。抵抗５４の両端が同電位となり、同様にＰ型ＭＯＳＦＥＴ５３のソース（Ｓ）−ゲート（Ｇ）間も同電位となる。
【０１４７】
Ｔ１０６：Ｐ型ＭＯＳＦＥＴ５３のソース（Ｓ）からドレイン（Ｄ）へ流れていた電流が停止し、制御部４３、ＬＥＤヘッド３２および切替検出回路４８への供給電圧３．３ＶＳが０Ｖとなる。
【０１４８】
Ｔ１０７：Ｐ型ＭＯＳＦＥＴ５３の３．３ＶＳから駆動回路４６の抵抗６７、ダイオード６８を介して切替回路４７の抵抗６９へ流れていた電流が停止し、またＰ型ＭＯＳＦＥＴ５３の３．３ＶＳから切替検出回路４８の抵抗６４、ダイオード６５を介して切替回路４７の電源スイッチ５９へ流れていた電流が停止する。
【０１４９】
Ｔ１０８：ＤＣ−ＤＣコンバータ４４の入力端子は、抵抗６９によりローレベルとなる。
【０１５０】
Ｔ１０９：ＤＣ−ＤＣコンバータ４４は、１．２Ｖから０Ｖを出力し、制御部４３および開閉回路４５への電圧供給を停止する。
【０１５１】
Ｔ１１０：制御部４３は、コア電圧である１．２Ｖが０Ｖとなったため、完全に動作停止状態となり、電子写真プリンタも同様に動作停止状態となる。また、制御部４３から開閉回路４５へ出力していた信号もハイレベルからローレベルとなる。
【０１５２】
第１の実施例では、ＤＣ−ＤＣコンバータは、入力端子がローレベルで供給電圧を出力するタイプと、逆に入力端子がハイレベルで供給電圧を出力するタイプとの２つの異なるタイプを使用していたが、本実施例では、一般的に、入力端子がハイレベルで供給電圧を出力するタイプの方が、流通量が多いため、入力端子がハイレベルで供給電圧を出力するタイプのＤＣ−ＤＣコンバータのみで制御回路を構成するようにした。これにより、安価な制御回路を実現することができる。
【０１５３】
また、本実施例では、駆動回路４６と制御部４３との接続を切り離したことにより、電源投入時において、駆動回路４６は、制御部４３の出力信号を待つことなく、直ぐにＤＣ−ＤＣコンバータ４４の入力端子へハイレベルの信号出力ができるため、第１の実施例よりも制御回路８０を速く起動することができる。
【０１５４】
さらに、第１の実施例では、制御部４３のコア電圧となる１．２Ｖと駆動用の電圧となる３．３Ｖが、電源投入時には、電圧１．２Ｖが立ち上がってから電圧３．３Ｖが遅れて立ち上がり、逆に電源切断時には、電圧１．２Ｖが立ち下がってから電圧３．３Ｖが遅れて立ち下がる。このため、第１の実施例では、制御部４３は、内部回路を保護するシーケンス保護がされたデバイスであることが必要であった。
【０１５５】
しかし、本実施例では、電源投入時には、電圧１．２Ｖが立ち上がってから電圧３．３Ｖが遅れて立ち上がり、逆に電源切断時には、電圧３．３Ｖが立ち下がってから電圧１．２Ｖが遅れて立ち下がるため、制御部４３は、シーケンス保護がされていないデバイスを用いることも可能となる。
【０１５６】
以上説明したように、第２の実施例では、第１の実施例の効果に加え、入力端子がハイレベルで供給電圧を出力するタイプのＤＣ−ＤＣコンバータのみで制御回路を構成するようにしたことにより、安価な制御回路を実現することができるという効果が得られる。
【０１５７】
また、駆動回路と制御部との接続を切り離したことにより、電源投入時において、制御回路の起動を速くすることができるという効果が得られる。
【０１５８】
さらに、電源投入時には、電圧１．２Ｖが立ち上がってから電圧３．３Ｖが遅れて立ち上がり、逆に電源切断時には、電圧３．３Ｖが立ち下がってから電圧１．２Ｖが遅れて立ち下がるため、制御部はシーケンス保護がされていないデバイスを用いることも可能となるという効果が得られる。
【０１５９】
第１の実施例および第２の実施例では、情報処理装置を画像形成装置としての電子写真プリンタの例で説明したが、それに限られることなく、画像データを媒体へ出力するプリンタ、スキャナ、複合機（ＭＦＰ）等としても良い。
【符号の説明】
【０１６０】
１    給紙カセット
２    給紙ローラ
３    レジストローラ
４    感光体ドラム
５    転写ローラ
６    定着装置
７    ヒートローラ
８    ヒータ
９    加圧ローラ
１１  反転装置
１７  スタッカ
４２  電源
４３  制御部
４４、５１  ＤＣ−ＤＣコンバータ
４５  開閉回路
４６  駆動回路
４７  切替回路
４８  切替検出回路
８０  制御回路
８１  タイマ
１００  電子写真プリンタ
【図１】
2013092841.tif 000003
【図２】
2013092841.tif 000004
【図３】
2013092841.tif 000005
【図４】
2013092841.tif 000006
【図５】
2013092841.tif 000007
【図６】
2013092841.tif 000008
【図７】
2013092841.tif 000009
【図８】
2013092841.tif 000010
【図９】
2013092841.tif 000011
【図１０】
2013092841.tif 000012
【図１１】
2013092841.tif 000013